(57)【要約】【課題】手術用装置を用いる手術において、状況に応じて迅速に同装置の少なくとも一部の駆動を停止することができるスイッチ装置を提供する。【解決手段】手術用装置２の電源用のプラグ２５と、電源コンセント１００とのそれぞれに、スイッチ装置１のコンセント１２、プラグ１３を接続する。そして例えば手術用装置２のフットスイッチ２４を施術者が操作することによりハンドピース３を駆動し、スイッチ装置１のフットスイッチ１０を横にいる指導者が操作する形態において、緊急にハンドピース３の駆動を停止したい場合に指導者がフットスイッチ１０を踏んで、手術用装置２への電力供給を遮断する。【選択図】図１
2014100418.tif 000002
【特許請求の範囲】
【請求項１】
電力が供給されて駆動する駆動部と、第１の操作者からの足で踏む操作を受け付ける第１操作部と、前記第１操作部が前記踏む操作を受け付けたら前記駆動部に電力を供給するように制御する第１制御部と、を備えた手術用装置に対するスイッチ装置であって、
前記第１の操作者とは異なる第２の操作者からの足で踏む操作を受け付ける第２操作部と、
前記第２操作部が前記踏む操作を受け付けると、前記第１操作部が前記踏む操作を受け付けているか否かに関わらず、前記駆動部への電力供給を遮断するように制御する第２制御部と、
を備えたことを特徴とするスイッチ装置。
【請求項２】
電力が供給されて駆動する駆動部と、第１の操作者からの足で踏む操作を受け付ける第１操作部と、前記第１操作部が前記踏む操作を受け付けたら前記駆動部へ電力を供給するように制御する第１制御部と、を備えた手術用装置に対するスイッチ装置であって、
前記駆動部に電力を供給するための接続部と着脱可能に接続される第１接続部と、
電力を供給する電力源と着脱可能に接続される第２接続部と、
前記第１の操作者とは異なる第２の操作者からの足で踏む操作を受け付ける第２操作部と、
前記第２操作部が前記踏む操作を受け付けると、前記第１接続部と第２接続部との間の電気的な接続を遮断するように制御する第２制御部と、
を備えたことを特徴とするスイッチ装置。
【請求項３】
前記第２制御部は、前記第１接続部と第２接続部との間が電気的に遮断された状態で、前記第２操作部に対する所定の操作に応じて、前記第１接続部と第２接続部との間の電気的な遮断を解除するように制御する請求項２に記載のスイッチ装置。
【請求項４】
電力が供給されて駆動する駆動部と、
前記駆動部と電気的に接続された第１接続部と、
前記手術用装置に組み込まれて配置されて、前記手術用装置における外部から電力が供給される部位と電気的に接続された第２接続部と、
第１の操作者からの足で踏む操作を受け付ける第１操作部と、
前記第１の操作者とは異なる第２の操作者からの足で踏む操作を受け付ける第２操作部と、
前記第２操作部が前記踏む操作を受け付けていない状態で前記第１操作部が前記踏む操作を受け付けたら前記第１接続部と第２接続部との間を電気的に接続するように制御し、前記第２操作部が前記踏む操作を受け付けると、前記第１操作部が前記踏む操作を受け付けているか否かに関わらず、前記第１接続部と第２接続部との間の電気的な接続を遮断するように制御する制御部と、
を備えたことを特徴とするスイッチ装置。
【請求項５】
前記制御部は、前記第１接続部と第２接続部との間が電気的に遮断された状態で、前記第２操作部に対する所定の操作に応じて、前記第１接続部と第２接続部との間の電気的な遮断を解除するように制御する請求項４に記載のスイッチ装置。
【請求項６】
電力が供給されて駆動する駆動部と、第１の操作者からの足で踏む操作を受け付ける第１操作部と、前記第１操作部が前記踏む操作を受け付けたら前記駆動部に電力を供給するように制御する第１制御部と、を備え、前記第１操作部が所定の第１接続部を介して着脱可能に配置された手術用装置に対して、前記第１操作部を第１接続部から離脱させて装着されるスイッチ装置であって、
前記第１接続部と接続するための第２接続部と、
第１の操作者からの足で踏む操作を受け付ける第１操作部と、
前記第１の操作者とは異なる第２の操作者からの足で踏む操作を受け付ける第２操作部と、
前記第２操作部が前記踏む操作を受け付けていない状態で前記第１操作部が前記踏む操作を受け付けたら、前記駆動部へ電力を供給することを指令する信号を前記第２接続部に向けて送信するように制御し、前記第２操作部が前記踏む操作を受け付けると、前記第１操作部が前記踏む操作を受け付けているか否かに関わらず、前記駆動部への電力供給を遮断することを指令する信号を前記第２接続部に向けて送信するように制御する第２制御部と、
を備えたことを特徴とするスイッチ装置。
【請求項７】
前記第２制御部は、前記駆動部への電力供給が遮断された状態で、前記第２操作部に対する所定の操作に応じて、前記駆動部への電力遮断を解除することを指令する信号を前記第２接続部に向けて送信するように制御する請求項６に記載のスイッチ装置。
【発明の詳細な説明】
【技術分野】
【０００１】
本発明はスイッチ装置に関する。
【背景技術】
【０００２】
眼の白内障に対する治療として、患者の白濁した水晶体の嚢内組織を摘出した後に、眼内レンズを嚢内に挿入する手術が広く行われている。白濁した水晶体の嚢内組織の除去のための代表的な手法として、超音波乳化吸引術と呼ばれる手法がある。
【０００３】
この手法では、超音波乳化吸引装置に接続されたハンドピースの先端部材が超音波振動の原理により振動して、水晶体の嚢内を乳化（液化、ゲル化、破砕）し、乳化された組織をハンドピースから装置まで吸引する。同装置は通常、施術者が足で踏んでハンドピースの駆動を操作するためのフットスイッチを備えている。例えば下記特許文献１には、フットスイッチの踏み込み量に応じて灌流圧、吸引流量なども制御する技術が提案されている。
【先行技術文献】
【特許文献】
【０００４】
【特許文献１】特開２００７−５４６５４号公報
【発明の概要】
【発明が解決しようとする課題】
【０００５】
超音波乳化吸引装置を用いた白内障手術は高い技術を習得しなければならず、ある程度の手術回数を経験しないうちは十分な技術が習得できないことが知られている。したがって手術経験が十分でない施術者が白内障手術を行う場合には、通常その横に熟練医師（指導者）が立って指導する。
【０００６】
上述のとおり、白内障手術には施術者が超音波振動したハンドピースの先端によって水晶体嚢内の組織を乳化して吸引する作業が含まれる。この作業においては、施術者が未熟な場合、水晶体嚢をハンドピースの先端で突き破ってしまう不具合を起こすことがある。そのような場合には、横に立った指導者が、水晶体嚢を破りそうになる直前に、声で注意してハンドピースの進行を止めさせることとなる。
【０００７】
しかし、白内障手術は通常局部麻酔で行われるので手術中も患者の意識は覚醒しており、指導者が発した声は施術者だけでなく患者にも聞こえることとなる。したがって、指導者の注意内容によっては、適切な手術が行われているかどうかの不安や疑念を患者がもつこととなり、手術中や手術後に患者と医師の間でトラブルが生じる場合もある。
【０００８】
よって、施術者が未熟な場合にも、上記のようなトラブルが生じることのない方法によって指導者が白内障手術を適切にコントロールできて、例えば水晶体嚢を破損することなどが確実に抑制できる技術の開発が求められる。こうした課題は、白内障手術や眼科手術に限定されず、手術用装置を用いた手術形態において、状況に応じて迅速に同装置の（少なくとも一部の）駆動を停止したい場合がある、あらゆる手術が対象となる。
【０００９】
そこで本発明が解決しようとする課題は、上記に鑑み、手術用装置を用いる手術において、状況に応じて迅速に同装置の少なくとも一部の駆動を停止することができるスイッチ装置を提供することにある。
【課題を解決するための手段】
【００１０】
上記課題を解決するために、本発明に係るスイッチ装置は、電力が供給されて駆動する駆動部と、第１の操作者からの足で踏む操作を受け付ける第１操作部と、前記第１操作部が前記踏む操作を受け付けたら前記駆動部に電力を供給するように制御する第１制御部と、を備えた手術用装置に対するスイッチ装置であって、前記第１の操作者とは異なる第２の操作者からの足で踏む操作を受け付ける第２操作部と、前記第２操作部が前記踏む操作を受け付けると、前記第１操作部が前記踏む操作を受け付けているか否かに関わらず、前記駆動部への電力供給を遮断するように制御する第２制御部と、を備えたことを特徴とする。この発明によれば、第２操作部を踏むという簡単な操作により、第１操作部が操作されているか否かに関わらず、手術用装置への電源供給をただちに遮断できる。したがって例えば施術者が第１操作部を操作し、その横に位置する指導者が第２操作部を操作する形態で、状況に応じて緊急に駆動を停止しなければならない手術において、従来のように指導者が声で注意して停止させる必要がなく、指導者が足で踏むのみで駆動部が停止できる。
【００１１】
また本発明に係るスイッチ装置は、電力が供給されて駆動する駆動部と、第１の操作者からの足で踏む操作を受け付ける第１操作部と、前記第１操作部が前記踏む操作を受け付けたら前記駆動部へ電力を供給するように制御する第１制御部と、を備えた手術用装置に対するスイッチ装置であって、前記駆動部に電力を供給するための接続部と着脱可能に接続される第１接続部と、電力を供給する電力源と着脱可能に接続される第２接続部と、前記第１の操作者とは異なる第２の操作者からの足で踏む操作を受け付ける第２操作部と、前記第２操作部が前記踏む操作を受け付けると、前記第１接続部と第２接続部との間の電気的な接続を遮断するように制御する第２制御部と、を備えたことを特徴とする。この発明によれば、手術用装置と電源との間にスイッチ装置を接続する簡単な構成において、第２操作部を踏むという簡単な操作により、手術用装置への電源供給をただちに遮断できる。したがって例えば施術者が第１操作部を操作し、その横に位置する指導者が第２操作部を操作する形態で、状況に応じて緊急に駆動を停止しなければならない手術において、従来のように指導者が声で注意して停止させる必要がなく、指導者が足で踏むのみで駆動部が停止できる。
【００１２】
また、前記第２制御部は、前記第１接続部と第２接続部との間が電気的に遮断された状態で、前記第２操作部に対する所定の操作に応じて、前記第１接続部と第２接続部との間の電気的な遮断を解除するように制御するとしてもよい。この発明によれば、第２操作部に対して所定の操作を行うことにより電力遮断を解除できるので、手術の進行に支障が生じない。
【００１３】
また本発明に係るスイッチ装置は、電力が供給されて駆動する駆動部と、前記駆動部と電気的に接続された第１接続部と、前記手術用装置に組み込まれて配置されて、前記手術用装置における外部から電力が供給される部位と電気的に接続された第２接続部と、第１の操作者からの足で踏む操作を受け付ける第１操作部と、前記第１の操作者とは異なる第２の操作者からの足で踏む操作を受け付ける第２操作部と、前記第２操作部が前記踏む操作を受け付けていない状態で前記第１操作部が前記踏む操作を受け付けたら前記第１接続部と第２接続部との間を電気的に接続するように制御し、前記第２操作部が前記踏む操作を受け付けると、前記第１操作部が前記踏む操作を受け付けているか否かに関わらず、前記第１接続部と第２接続部との間の電気的な接続を遮断するように制御する制御部と、を備えたことを特徴とする。この発明によれば、踏むと電力供給が行われる第１操作部と、逆に踏むと電力供給を遮断する第２操作部と、を備えるという新規な構成の手術用装置によって、例えば施術者が第１操作部を操作し、その横に位置する指導者が第２操作部を操作する形態で、状況に応じて緊急に駆動を停止しなければならない手術において、従来のように指導者が声で注意して停止させる必要がなく、指導者が足で踏むのみで駆動部が停止できる。
【００１４】
また前記制御部は、前記第１接続部と第２接続部との間が電気的に遮断された状態で、前記第２操作部に対する所定の操作に応じて、前記第１接続部と第２接続部との間の電気的な遮断を解除するように制御するとしてもよい。この発明によれば、第２操作部に対して所定の操作を行うことにより電力遮断を解除できるので、手術の進行に支障が生じない。
【００１５】
また本発明に係るスイッチ装置は、電力が供給されて駆動する駆動部と、第１の操作者からの足で踏む操作を受け付ける第１操作部と、前記第１操作部が前記踏む操作を受け付けたら前記駆動部に電力を供給するように制御する第１制御部と、を備え、前記第１操作部が所定の第１接続部を介して着脱可能に配置された手術用装置に対して、前記第１操作部を第１接続部から離脱させて装着されるスイッチ装置であって、前記第１接続部と接続するための第２接続部と、第１の操作者からの足で踏む操作を受け付ける第１操作部と、前記第１の操作者とは異なる第２の操作者からの足で踏む操作を受け付ける第２操作部と、前記第２操作部が前記踏む操作を受け付けていない状態で前記第１操作部が前記踏む操作を受け付けたら、前記駆動部へ電力を供給することを指令する信号を前記第２接続部に向けて送信するように制御し、前記第２操作部が前記踏む操作を受け付けると、前記第１操作部が前記踏む操作を受け付けているか否かに関わらず、前記駆動部への電力供給を遮断することを指令する信号を前記第２接続部に向けて送信するように制御する第２制御部と、を備えたことを特徴とする。この発明によれば、踏むと電力供給が行われる第１操作部と、逆に踏むと電力供給を遮断する第２操作部と、を備えるという新規な構成のスイッチ装置が実現される。これを従来の第１操作部のみからなるスイッチ装置と取り替えることにより、例えば施術者が第１操作部を操作し、その横に位置する指導者が第２操作部を操作する形態で、状況に応じて緊急に駆動を停止しなければならない手術において、従来のように指導者が声で注意して停止させる必要がなく、指導者が足で踏むのみで駆動部が停止できる。
【００１６】
また前記第２制御部は、前記駆動部への電力供給が遮断された状態で、前記第２操作部に対する所定の操作に応じて、前記駆動部への電力遮断を解除することを指令する信号を前記第２接続部に向けて送信するように制御するとしてもよい。この発明によれば、第２操作部に対して所定の操作を行うことにより電力遮断を解除できるので、手術の進行に支障が生じない。
【図面の簡単な説明】
【００１７】
【図１】本発明の実施例１におけるスイッチ装置を含むシステム構成例を示す図。
【図２】フットスイッチの内部構成の例を示す図。
【図３】本発明の実施例２におけるスイッチ装置を含むシステム構成例を示す図。
【図４】本発明の実施例３におけるスイッチ装置を含むシステム構成例を示す図。
【図５】実施例３における処理手順の例を示すフローチャート。
【図６】本発明の実施例４におけるスイッチ装置を含むシステム構成例を示す図。
【図７】実施例４における処理手順の例を示すフローチャート。
【発明を実施するための形態】
【００１８】
以下、本発明の実施例を図面を参照しつつ説明する。図１は本発明の実施例１におけるスイッチ装置を含むシステム構成例を示している。
【００１９】
実施例１は、スイッチ装置１を白内障手術用の超音波乳化吸引装置２とは別体に構成する例である。超音波乳化吸引装置２にはハンドピース３が接続される。施術者がハンドピース３を手で把持して操作することで白内障手術における水晶体内の組織（核）の乳化や吸引などがなされる。スイッチ装置１の内部構成例は図２に示される。
【００２０】
図１のとおり、超音波乳化吸引装置２（装置）は、電力供給部２０、灌流部２１、吸引部２２、制御部２３、フットスイッチ２４、プラグ２５、スイッチ回路２６、パワーボタン２７、入力部２８を備える。
【００２１】
電力供給部２０はハンドピース３へ電力を供給する部位であり、例えば、商用電力をハンドピースに適した電圧に変換するなどして、電力ケーブルを通じてハンドピース３へ電力を供給する。ハンドピース３は、供給された電力によって超音波振動の原理で先端部を振動させる。患者の水晶体内にハンドピース３の先端が挿入され振動することにより、水晶体内の組織が破砕（乳化）される。
【００２２】
灌流部２１はハンドピース３へ灌流水（例えば生理食塩水）を供給する部位である。ハンドピース３は供給された灌流水を、自身の先端から施術部位に供給する。吸引部２２は、例えばバキューム部を備えてハンドピース３に対して吸引力を発生させる部位である。この吸引力により、ハンドピース３の先端に形成された孔部から、破砕された水晶体内組織や灌流水を吸引して超音波乳化吸引装置２へ回収する。
【００２３】
制御部２３は、以上の電力供給部２０、灌流部２１、吸引部２２を含めた超音波乳化吸引装置２の全体の処理を司る部位である。制御部２３は、例えば通常のコンピュータと同様の構成、すなわち各種演算や指令を発するＣＰＵや、各種情報を記憶するメモリ２３０（ＲＡＭや不揮発性の記憶部などを含む）を備えるとすればよい。
【００２４】
フットスイッチ２４は、施術者が足で踏むことにより、ハンドピース３への電力供給、灌流供給、吸引力の生成を制御する部位である。図１のとおり、フットスイッチ２４は装置２に対して着脱可能となっており、コネクタ２４０とコネクタ２４１とが接続されることにより制御部２３とフットスイッチ２４の間の信号の送受信が可能となる。プラグ２５は、装置２への電力供給のために商用電力のコンセントへ接続される部位である。スイッチ回路２６は、プラグ２５と装置２の各部との間に配置されるスイッチ回路である。パワーボタン２７は装置２の使用者が操作（例えば押下）するボタンであり、パワーボタン２７の操作により、プラグ２５を通じて商用電力が装置２の各部に供給される。
【００２５】
入力部２８は、装置２の使用者による各種入力を受け付ける部位である。使用者は例えば白内障手術における各種入力のうちで、フットスイッチ２４による制御入力以外の入力を入力部２８により例えば手で入力する。
【００２６】
図１に示すとおり、制御部２３から電力供給部２０、灌流部２１、吸引部２２へ、制御部２３からの制御信号の伝達のための信号線が配置されている。またスイッチ回路２６の図示左側の端子から、電力供給部２０、灌流部２１、吸引部２２へ、電力供給のための電力線が配置されている。この電力線の途中にはスイッチ回路２００、２１０、２２０が配置されており、制御部２３からの制御信号により、各々のスイッチ回路２００、２１０、２２０の開閉（接続と遮断）が制御される。
【００２７】
上述のとおり、使用者（施術者）がフットスイッチ２４を足で踏むことにより、ハンドピース３への電力供給、灌流供給、吸引力の生成を制御する。具体的には、フットスイッチ２４が踏み込みを検出すると、その情報が制御部２３に送られ、それにより制御部２３がスイッチ回路２００、２１０、２２０を閉じる（接続状態にする）。
【００２８】
次に、スイッチ装置１ａは、超音波乳化吸引装置２への電力供給を状況に応じて迅速に遮断するために（あるいは接続と遮断とを切り替えるために）装備される装置である。基本的な実施形態においては、フットスイッチ２４を白内障手術の施術者（執刀医）が踏んで操作し、スイッチ装置１ａのフットスイッチ１０を施術者の横に位置して施術者の手術を指導する指導者（上席医師）が踏んで操作する。
【００２９】
スイッチ装置１ａは、フットスイッチ１０、スイッチ回路１１、コンセント１２、プラグ１３を備える。フットスイッチ１０は、上述のとおり基本的な実施形態ではフットスイッチ２４とは別の人が踏んで操作するためのスイッチである。スイッチ回路１１は、フットスイッチ１０から踏み込みを検出したことを示す信号（踏み込み検出信号）を受けて開閉される部位である。例えば、踏み込み検出信号を受信するごとに（ただちに）開閉を繰り返す形態、あるいは踏み込んでいる間は遮断し、踏み込みがなくなったら接続する形態などとすればよい。
【００３０】
コンセント１２は、超音波乳化吸引装置２のプラグ２５と接続される部位である。プラグ１３は商用電力のコンセント１００と接続される部位である。コンセント１２、プラグ１３は手術中常時接続しておけばよい。例えば図１のように、スイッチ回路１１とコンセント１２は共通の筐体のなかに配置し、そこから信号線（ケーブル）１８を延ばしてその先端にフットスイッチ１０を接続する。ケーブル１８は、タッチセンサ１６により踏み込みが検出されたら、それを示す信号をスイッチ回路１１へ送る。ケーブル１８は十分な長さと弾性を有するように構成すればよく、それにより施術場所におけるフットスイッチ１０の配置場所に自由度が与えられる。
【００３１】
図２の例では、フットスイッチ１０はペダル部１４、本体部１５、タッチセンサ１６、バネ部１７を備える。ペダル部１４は使用者（指導者）が足で踏み込む部位である。使用者の踏み込みにより所定の軸まわりに回動する。本体部１５はペダル部１４、タッチセンサ１６、バネ部１７が取り付けられて、スイッチ装置１ａ０の本体となる部位である。
【００３２】
タッチセンサ１６は、使用者が踏み込むことで回動したペダル部１４と接触すると、踏み込みを検出するセンサである。タッチセンサは、接触を検出する周知の原理、構造を有するとすればよい。バネ部１７は本体部１５とペダル部１４との間に配置されて、使用者がペダル部１４を踏み込んでいない状態ではペダル部１４とタッチセンサ１６とを接触させないように機能する。上記のとおり、フットスイッチ２４は踏み込むと（あるいは踏み込んでいる間）ハンドピース３が駆動するのに対して、フットスイッチ１０は踏み込むと（あるいは踏み込んでいる間）ハンドピース３が停止する。
【００３３】
以上の構成において、白内障手術開始時には、プラグ２５とコンセント１２、そしてプラグ１３とコンセント１００とを接続した状態で、まず使用者はパワーボタン２７を操作する。これによりスイッチ回路２６が閉鎖されて、超音波乳化吸引装置２全体に電力が供給される。次に使用者は入力部２８に対して手で各種設定入力などを行う。
【００３４】
そして施術者がフットスイッチ２４を足で踏み込むことにより、制御部２３がスイッチ回路２００、２１０、２２０を閉鎖して、ハンドピース３への電力供給、灌流水供給、吸引力の発生が開始される。施術者は、ハンドピース３の振動した先端で水晶体内の組織（核）を破砕して、灌流水とともに装置２の方へ吸引する。これにより、白内障により白濁した水晶体の内部が嚢だけ残して空の状態にされる。その後に例えば空の嚢内に眼内レンズを装着する。
【００３５】
以上のような超音波乳化吸引処置を用いた手術の途中で、例えば水晶体の嚢が破損されることを防止するためにスイッチ装置１ａが用いられる。具体的な状況の例としては、施術者がハンドピースの操作を誤って水晶体の嚢を破損してしまうそうになったことを横に位置した指導者が気づいたときに、直ちに指導者がフットスイッチ１０を踏み込む。
【００３６】
これにより、スイッチ回路１１が開放され、乳化吸引装置２への電力供給がただちに遮断される。これにより、水晶体の嚢が破損される前にハンドピース３の駆動が停止される。このように実施例１のスイッチ装置１ａは、超音波乳化吸引装置２と商用電源との間に配置される簡素な構成によって、施術者以外の人によりハンドピース３の駆動を迅速に停止する効果が実現できる。
【００３７】
さらに、乳化吸引装置２への電力供給が遮断された後に、指導者がフットスイッチ１０に対して上述のように所定の操作（ペダル部１４を初期位置に戻す操作やもう一度踏む操作など）を行うことにより、スイッチ回路１１が再び閉鎖（接続）されて、乳化吸引装置２への電力供給がただちに回復する。よって、例えば施術者がハンドピース３を水晶体嚢に近い位置から退避させたら、ただちにハンドピース３の駆動を再開できるので、手術の進行に支障を生じない。
【００３８】
次に実施例２を説明する。実施例２では、スイッチ装置１ｂを超音波乳化吸引装置２’に組み込んで構成する。実施例２におけるシステム構成例は図３に示されている。図３における図１や図２と同符号の部位は上記説明と同様であるので重複する説明は省略する。
【００３９】
超音波乳化吸引装置２’（装置）は、第１フットスイッチ２４、第２フットスイッチ１０を備える。例えば、第１フットスイッチ２４、第２フットスイッチ１０はそれぞれ、上述のフットスイッチ２４、フットスイッチ１０と同様の構成や機能を備えるとすればよい。図３のとおり、第２フットスイッチ１０は装置２’に対して着脱可能となっており、コネクタ１９とコネクタ２４２とが接続されることによりフットスイッチ１０からスイッチ回路２０３への信号の送信が可能となる。
【００４０】
また装置２’はスイッチ回路２０３を備える。スイッチ回路２０３の一方の端子２０１はスイッチ回路２００、２１０、２２０と接続され、スイッチ回路２０３の他方の端子２０２は、スイッチ回路２６と接続される。これにより、例え制御部２３からの制御によってスイッチ回路２００、２１０、２２０が閉じられていても、スイッチ回路２０３が開放されると、電力供給部２０、灌流部２１、吸引部２２への電力供給は遮断される。
【００４１】
図３のとおり、第２フットスイッチ１０はスイッチ回路２０３と接続されるように配置される。第２フットスイッチ１０の操作により、スイッチ回路２０３の開閉が制御される。例えば第２フットスイッチ１０を踏み込むごとにスイッチ回路２０３の開閉が切り替えられるとしてもよく、第２フットスイッチ１０を踏み込んでいる間はスイッチ回路２０３が遮断され、踏み込んでいない間はスイッチ回路２０３が接続されるとしてもよい。これにより、実施例１と同様に、施術者の横に位置する指導者がフットスイッチ１０を踏み込むことによりただちにハンドピース３の駆動が停止できる。
【００４２】
実施例２の構成では、第２フットスイッチ１０の操作によって制御部２３などの装置２の他の部位への電力供給が停止されないので制御部２３の各種制御などに支障がきたさない等の効果が得られる。
【００４３】
次に実施例３を説明する。実施例３においても、実施例２と同様、スイッチ装置１ｃを超音波乳化吸引装置２”に組み込んで構成する。実施例３におけるシステム構成例は図４に示されている。図４における上述の図と同符号の部位は上記説明と同様であり重複する説明は省略する。
【００４４】
図４の超音波乳化吸引装置２”も、図３の超音波乳化吸引装置２’と同様、第１フットスイッチ２４、第２フットスイッチ１０を備えるが、超音波乳化吸引装置２”では第２フットスイッチ１０は制御部２３に接続される。したがって制御部２３に第１フットスイッチ２４、第２フットスイッチ１０の両方が接続される形態となる。この構成で制御部２３は、入力部２８からの各種の入力信号に加えて、第１フットスイッチ２４への操作信号、第２フットスイッチ１０への操作信号を受信して、これらを総合的に判断して乳化吸引装置２”における各種制御内容を決定する。
【００４５】
制御部２３の処理手順の例が図５に示されている。この処理手順におけるユーザによる手動操作以外の処理は例えば、予めプログラム化してメモリ２３０に記憶しておいて、制御部２３が呼び出して自動的に処理すればよい。
【００４６】
図５の手順ではまずＳ１０でユーザがパワーボタン２７を操作する。これにより超音波乳化吸引装置２”の全体に電力が供給される。続いてユーザはＳ２０で入力部２８を用いて各種設定を行う。
【００４７】
次にＳ３０で制御部２３は、第１フットスイッチ２４に対する操作が行われたか、すなわち第１フットスイッチ２４から踏み込み検出信号を受信したか否かを判断する。踏み込み検出信号は、施術者がハンドピース３の駆動を指令するためにフットスイッチ２４を踏み込んだことを検出した信号である。踏み込み検出信号を受信した場合（Ｓ３０：ＹＥＳ）はＳ４０に進み、踏み込み検出信号を受信していない場合（Ｓ３０：ＮＯ）はＳ６０に進む。
【００４８】
Ｓ４０に進んだら制御部２３は、第２フットスイッチ１０への操作があったか否か、すなわちすなわち第２フットスイッチ１０からの踏み込み検出信号を受信したか否かを判断する。第２フットスイッチ１０からの踏み込み検出信号を受信した場合（Ｓ４０：ＹＥＳ）はＳ６０に進み、踏み込み検出信号を受信していない場合（Ｓ４０：ＮＯ）はＳ５０に進む。
【００４９】
Ｓ５０に進んだ場合は、施術者がハンドピース３を駆動するために第１フットスイッチ２４を踏み込んでおり、かつ指導者はハンドピース３を停止させるためにフットスイッチ１０を踏み込んでいない場合である。したがってＳ５０に進んだら制御部２３は、ハンドピース３を駆動する。つまり、制御部２３からの指令により、スイッチ回路２００における端子２０１、２０２間、スイッチ回路２１０における端子２１１、２１２間、スイッチ回路２２０における端子２２１、２２２間が接続される。同時にハンドピース３先端からの灌流水の供給処理や吸引処理も行う。
【００５０】
Ｓ６０に進んだ場合は、施術者が第１フットスイッチ２４を踏み込んでいないか、あるいは指導者がハンドピース３を停止させるためにフットスイッチ１０を踏み込んでいる場合である。したがってＳ６０に進んだら制御部２３は、ハンドピース３を停止する（ハンドピース３を駆動状態から停止状態に切り替える、あるいはハンドピース３の停止状態を継続する）。つまり、制御部２３からの指令により、スイッチ回路２００における端子２０１、２０２間、スイッチ回路２１０における端子２１１、２１２間、スイッチ回路２２０における端子２２１、２２２間の接続が遮断される。
【００５１】
そしてＳ７０に進んだら制御部２３は、パワーボタン２７がユーザによってオフとされたか否かを判断する。オフとされた場合（Ｓ７０：ＹＥＳ）は図５の処理を終了し、依然としてオンの場合（Ｓ７０：ＮＯ）はＳ３０に戻って上記手順を繰り返す。これにより、パワーボタン２７がオンの期間はＳ３０からＳ６０の処理が繰り返される。以上が図５の処理手順である。なお上記Ｓ４０は第２フットスイッチ１０を踏み込んでいる期間は肯定判断（ＹＥＳ）となる形態だが、第２フットスイッチ１０を１度踏むと肯定判断となり、もう１度踏むと否定判断（ＮＯ）となる、つまり１度踏むごとに交互に肯定判断と否定判断とが入れ替わる形態でもよい。
【００５２】
以上の手順によって、実施例３の形態では、制御部２３が第１フットスイッチ２４、第２フットスイッチ１０への踏み込みの有無を総合的に判断して適切にハンドピース３の駆動および停止が制御できる。したがってハンドピース３の駆動停止が装置２の他の制御などに悪影響を与えることがない。
【００５３】
次に実施例４を説明する。実施例４においては、スイッチ装置１ｄを超音波乳化吸引装置２に装着する。実施例４におけるシステム構成例は図６に示されている。図６における上述の図と同符号の部位は上記説明と同様であり重複する説明は省略する。
【００５４】
上述のとおり従来技術では装置２にフットスイッチ２４を装着して使用するが、このフットスイッチ２４はコネクタ２４１に対して着脱可能となっている。そこで実施例４では、従来のフットスイッチ２４（図１のフットスイッチ２４）をコネクタ２４１から離脱して、新たにスイッチ装置１ｄをコネクタ２４１に装着する。
【００５５】
スイッチ装置１ｄは、第１フットスイッチ２４、第２フットスイッチ１０、コネクタ１９、制御部１９０、プラグ１９２を備える。第１フットスイッチ２４、第２フットスイッチ１０は上述と同様とし、基本的な使用形態としては第１フットスイッチ２４を施術者が操作し、第２フットスイッチ１０をその横の指導者が操作する。スイッチ装置１ｄでは、この２つのフットスイッチが制御部１９０に接続されている。
【００５６】
制御部１９０は通常のコンピュータと同様の構成、すなわち各種演算や指令を発するＣＰＵや、各種情報を記憶するメモリ１９１（ＲＡＭや不揮発性の記憶部などを含む）を備えるとすればよい。、プラグ１９２が商用電力のコンセント１００に接続されることによってスイッチ装置１ｄに電力が供給される。
【００５７】
コネクタ１９はコネクタ２４１と接続可能な構造を有する。コネクタ２４１は従来技術においてフットスイッチ２４のコネクタ２４０が接続されるコネクタであり、従来はフットスイッチ２４が踏み込むまれたことを示す信号を通すコネクタであった。実施例４では、このコネクタ２４１を（そして装置２を）何ら変更を施さずを利用する。すなわち、コネクタ２４１にコネクタ１９を接続し、これを通じて制御部１９０からの信号が制御部２３に送られる。制御部１９０から送られる信号は、後述するように、第１フットスイッチ２４と第２フットスイッチ１０への操作（踏み込み）に応じた信号である。
【００５８】
なお図６に示すとおり、制御部１９０にコネクタ２４１を設けて、ここに図１のフットスイッチ２４のコネクタ２４０を接続するようにしてもよい。この形態ならば、従来からのフットスイッチ２４がそのままスイッチ装置１ｄのなかで利用できる。
【００５９】
制御部１９０の処理手順の例が図７に示されている。この処理手順におけるユーザによる手動操作以外の処理は例えば、予めプログラム化してメモリ１９１に記憶しておいて、制御部１９０が呼び出して自動的に処理すればよい。図７の手順では、図５のＳ５０，Ｓ６０がそれぞれＳ５５、Ｓ６５に置き換えられている。それ以外の手順は図５における同符号の処理と同様の処理を行う。
【００６０】
Ｓ５５において制御部１９０は、ハンドピース駆動信号をコネクタ１９を通じて装置２（制御部２３）へ向けて送信する。ここでハンドピース駆動信号は、従来技術（図１でスイッチ装置１ａを備えない構成）においてフットスイッチ２４を踏むとフットスイッチ２４から装置２へ向けて送信される信号である。またＳ６５において制御部１９０は、ハンドピース駆動信号のコネクタ１９を通じた装置２（制御部２３）への送信を停止する。したがって図５と同様の作用が実現される。
【００６１】
実施例４により、従来からある超音波乳化吸引装置２に変更を施さず、そのコネクタ２４１にフットスイッチ２４を接続する形態からスイッチ装置１ｄを接続する形態に切り替えるのみで、迅速にハンドピース３の駆動を停止できる構成が実現できる。
【００６２】
以上説明した本発明の実施形態は、特許請求の範囲に記載された趣旨を逸脱しない限りにおいて適宜変更可能である。例えば上記実施例では白内障手術の場合を示したが、本発明はこれに限定されず、状況に応じて駆動を迅速に停止したい場合がある手術装置に適用できる。また実施例３などでは、フットスイッチ１０に踏み込み操作があったら、電力供給部２０、灌流部２１、吸引部２２のすべてを停止せず、電力供給部２０のみを停止する形態でもよい。
【符号の説明】
【００６３】
１ａ、１ｂ、１ｃ、１ｄ    スイッチ装置
２    超音波乳化吸引装置（手術用装置）
３    ハンドピース（駆動部）
１０    （第２）フットスイッチ（第２操作部）
１１    スイッチ回路（制御部）
１２    コンセント（第１接続部）
１３    プラグ（第２接続部）
２４    （第１）フットスイッチ（第１操作部）
２００、２１０、２２０    スイッチ回路
２０１、２１１、２２１    端子（第１接続部）
２０２、２１２、２２２    端子（第２接続部）
２０３    スイッチ回路（制御部）
【図１】
2014100418.tif 000003
【図２】
2014100418.tif 000004
【図３】
2014100418.tif 000005
【図４】
2014100418.tif 000006
【図５】
2014100418.tif 000007
【図６】
2014100418.tif 000008
【図７】
2014100418.tif 000009